(57)【要約】【課題】便錠剤を所定数ずつ取り出すことができるうえ、錠剤を容器本体から取り出しにくくした錠剤容器及び錠剤容器の中栓を提供する。【解決手段】中栓１は、容器本体１０の口部１１を閉塞するように取り付けられ、底面部２０に所定数の錠剤の通過が可能な第１の取出口２３を有するハウジング２と、ハウジング２の底面部２０上に回転可能に設けられ、第１の取出口２３を通過した錠剤を保持可能な保持部３１を有するロータ３と、ハウジング２のロータ３上に回転不能に取り付けられ、第１の取出口２３とは異なる角度位置に錠剤の通過が可能な第２の取出口４２を有する蓋部材４と、ハウジング２の蓋部材４上にロータ３と一体回転可能に取り付けられ、第２の取出口４２と重なることで、保持部３１に保持された錠剤を取り出し可能な第３の取出口５７を有するつまみ部材５と、を備える。【選択図】図１
2015083487.tif 000002
【特許請求の範囲】
【請求項１】
容器本体の口部を閉塞するように前記口部に取り付けられ、底面部に所定数の錠剤の通過が可能な第１の取出口を有する有底筒状のハウジングと、
前記ハウジングの前記底面部上に回転可能に設けられ、前記第１の取出口を通過した錠剤を保持可能な保持部を有するロータと、
前記ハウジングの前記ロータ上に回転不能に取り付けられ、前記第１の取出口とは異なる角度位置に錠剤の通過が可能な第２の取出口を有する蓋部材と、
前記ハウジングの前記蓋部材上に前記ロータと一体回転可能に取り付けられ、前記第２の取出口と重なることで、前記保持部に保持された錠剤を取り出し可能な第３の取出口を有するつまみ部材と、を備える錠剤容器の中栓。
【請求項２】
前記ハウジングは、前記口部の上面と接するフランジ部を有し、前記フランジ部の前記口部の上面と接する側の面には、熱によって溶融する接着剤層を有する金属製リングが取り付けられている請求項１に記載の錠剤容器の中栓。
【請求項３】
前記ハウジングの前記底面部は、前記第１の取出口に向けて内側に傾斜している請求項１又は２に記載の錠剤容器の中栓。
【請求項４】
前記ハウジングには、前記つまみ部材を一方向のみに回転させる逆転防止手段が設けられている請求項１〜３のいずれかに記載の錠剤容器の中栓。
【請求項５】
前記ハウジングの前記側面部には、上下方向に延びる縦リブが周方向に間隔をあけて複数設けられている請求項１〜４のいずれかに記載の錠剤容器の中栓。
【請求項６】
錠剤を排出可能な口部を有する容器本体と、
前記容器本体の前記口部に取り付けられる請求項１〜５のいずれかに記載の中栓と、を備える錠剤容器。
【請求項７】
前記中栓は、前記容器本体と同じ材質からなる請求項６に記載の錠剤容器。
【発明の詳細な説明】
【技術分野】
【０００１】
本発明は、錠剤容器及び錠剤容器の中栓に関し、特に、錠剤を所定数ずつ取り出すことができる錠剤容器及び錠剤容器の中栓に関する
【背景技術】
【０００２】
錠剤は、一般に錠剤容器内に多数収容されており、服用に際しては、所定量を錠剤容器から取り出す必要がある。ここで、錠剤を収容した容器本体の口部を単に閉鎖する蓋を備えた一般的な錠剤容器では、口部から蓋を外し、容器本体を傾けるなどして錠剤を手のひら上に排出させるが、これでは、必要な量を超えた余分な錠剤が容器本体から排出されるおそれがある。余分に排出された錠剤は、容器本体内に戻されるが、一旦、手に触れた錠剤を再び容器本体内へ戻すのは、品質を保持する観点からは好ましくないという問題がある。そこで、錠剤を１錠ずつ取り出すために、容器本体の口部に取り付けた中栓に格別な工夫を施したものが提案されている（例えば、特許文献１を参照）。
【０００３】
この特許文献１では、容器本体の口部に取り付けられた中栓には、容器本体を傾けることで、錠剤を１錠取り出すことが可能な取出口が設けられているとともに、容器本体を傾けただけでは錠剤が取出口から完全には取り出されないように規制するストッパが設けられている。そして、容器本体を傾けた状態で、中栓の蓋板をプッシュすることで、取出口に保持された錠剤を外部に取り出すことが可能となっている。
【先行技術文献】
【特許文献】
【０００４】
【特許文献１】特開２０１２−６６３０号公報
【発明の概要】
【発明が解決しようとする課題】
【０００５】
錠剤の服用に際しては、医師により処方された服用量にしたがって服用する必要があり、決められた服用量以上の錠剤を一度に服用すると、最悪には死に至るなど、思わぬ事態が発生することがある。しかし、服用者の中には、あえて過剰な量の錠剤を容器本体から取り出して服用するケースも存在する。上記した特許文献１では、錠剤を容器本体から１錠ずつしか取り出せない構造となっており、過剰な量の錠剤を容器本体から取り出すには、何度も錠剤の取り出し操作を行う必要があるが、容器本体を傾けた状態で中栓の蓋板をプッシュすれば、１錠ずつでも簡単に錠剤を取り出すことができるので、このような過剰な量の錠剤を容器本体から取り出そうとすることを抑制する抑止力とはならない。
【０００６】
本発明は、上記した問題に着目してなされたものであり、錠剤を所定数ずつ取り出すことができるうえ、錠剤を容器本体から取り出しにくくした錠剤容器及び錠剤容器の中栓を提供することを目的とする。
【課題を解決するための手段】
【０００７】
本発明の上記目的は、容器本体の口部を閉塞するように前記口部に取り付けられ、底面部に所定数の錠剤の通過が可能な第１の取出口を有する有底筒状のハウジングと、前記ハウジングの前記底面部上に回転可能に設けられ、前記第１の取出口を通過した錠剤を保持可能な保持部を有するロータと、前記ハウジングの前記ロータ上に回転不能に取り付けられ、前記第１の取出口とは異なる角度位置に錠剤の通過が可能な第２の取出口を有する蓋部材と、前記ハウジングの前記蓋部材上に前記ロータと一体回転可能に取り付けられ、前記第２の取出口と重なることで、前記保持部に保持された錠剤を取り出し可能な第３の取出口を有するつまみ部材と、を備える錠剤容器の中栓によって達成される。
【０００８】
上記構成の錠剤容器の中栓において、前記ハウジングは、前記口部の上面と接するフランジ部を有し、前記フランジ部の前記口部の上面と接する側の面には、熱によって溶融する接着剤層を有する金属製リングが取り付けられていることが好ましい。
【０００９】
また、前記ハウジングの前記底面部は、前記第１の取出口に向けて内側に傾斜していることが好ましい。
【００１０】
また、前記ハウジングには、前記つまみ部材を一方向のみに回転させる逆転防止手段が設けられていることが好ましい。
【００１１】
また、前記ハウジングの前記側面部には、上下方向に延びる縦リブが周方向に間隔をあけて複数設けられていることが好ましい。
【００１２】
本発明の上記目的は、錠剤を排出可能な口部を有する容器本体と、前記容器本体の前記口部に取り付けられる請求項１〜５のいずれかに記載の中栓と、を備える錠剤容器によっても達成される。
【００１３】
上記構成の錠剤容器において、前記中栓は、前記容器本体と同じ材質からなることが好ましい。
【発明の効果】
【００１４】
本発明によると、容器本体から錠剤を所定数ずつ取り出すことができる。よって、必要な量を超えた余分な量の錠剤が容器本体から排出されることを防止できる。そのうえ、容器本体から錠剤を取り出しにくくすることができる。よって、服用者が、あえて過剰な量の錠剤を容器本体から取り出そうとしても、過剰な量の錠剤を取り出すには手間がかかるため、これを抑制する抑止力となる。
【図面の簡単な説明】
【００１５】
【図１】本発明の一実施形態に係る中栓の分解斜視図である。
【図２】中栓の断面図である。
【図３】中栓の平面図である。
【図４】中栓の底面図である。
【図５】ハウジングの断面図である。
【図６】ハウジングの平面図である。
【図７】ハウジングの底面図である。
【図８】ロータの断面図である。
【図９】ロータの平面図である。
【図１０】ロータの底面図である。
【図１１】蓋部材の断面図である。
【図１２】蓋部材の平面図である。
【図１３】蓋部材の底面図である。
【図１４】つまみ部材の断面図である。
【図１５】つまみ部材の平面図である。
【図１６】つまみ部材の底面図である。
【図１７】アルミニウムリングの平面図である。
【図１８】錠剤容器の断面図である。
【図１９】錠剤の取り出し方法を説明する説明図である。
【図２０】錠剤の取り出し方法を説明する説明図である。
【図２１】他の実施形態のハウジングの斜め上方からの斜視図である。
【図２２】他の実施形態のハウジングの斜め下方からの斜視図である。
【図２３】他の実施形態のハウジングの断面図である。
【図２４】他の実施形態のハウジングの底面図である。
【発明を実施するための形態】
【００１６】
以下、本発明に係る中栓の実態形態について添付図面を参照して説明する。図１は、本発明の一実施形態に係る中栓１の分解斜視図であり、図２は中栓１の断面図であり、図３は中栓１の平面図であり、図４は中栓１の底面図である。本発明に係る中栓１は、錠剤を内部に収容した容器本体１０（図１８に示す）の口部１１に取り付けられ、口部１１に取り付けられた状態で取り外されることなく、錠剤を容器本体１０から取り出すために使用されるものである。また、本発明に係る錠剤容器１４とは、容器本体１０内に錠剤が収容され、容器本体１０の口部１１に中栓１が取り付けられた状態で、口部１１に蓋（図示は省略）が装着されたものをいう。
【００１７】
容器本体１０は、例えば高密度ポリエチレンやポリプロピレン、ポリエチレンテレフタレートなどの硬質のプラスチック材料により形成されたものであり、錠剤を収容する中空の胴部１２と、胴部１２に連続して一体形成される円筒状の口部１１とを有している。口部１１は、胴部１２内の錠剤を排出するためのものであり、中栓１を介して、図示しない蓋により密閉されている。口部１１の外周面には、雄ネジ１３が形成されており、蓋に形成された雌ネジ（図示せず）と螺合することで、蓋が口部１１に固定される。なお、容器本体１０の材質としては、プラスチック材料に限られるものではなく、その他にガラスなどを好ましく例示することができる。
【００１８】
中栓１は、ハウジング２と、ロータ３と、蓋部材４と、つまみ部材５とを備えており、ハウジング２が容器本体１０の口部１１に取り付けられ、ハウジング２上に、ロータ３、蓋部材４及びつまみ部材５が順に積み重ねられている。
【００１９】
ハウジング２は、図５〜図７に示すように、平面視円形状の底面部２０と、円筒状の側面部２１とを備えた有底筒状に形成されたものであり、その全体が例えばＬＬＤポリエチレンなどの低密度ポリエチレン、高密度ポリエチレン、ポリプロピレンなどの透明又は半透明のプラスチック材料により形成されている。その中でも、ハウジング２の材質は、容器本体１０の材質と同じであることが好ましく、この種の錠剤容器の容器本体１０の材質としてはポリエチレンが一般的に最も用いられており、錠剤が接触する容器本体１０及びハウジングの材質としては共通していることが望ましいとの観点から、ハウジング２の材質もポリエチレンを用いることが好ましい。
【００２０】
ハウジング２の外径は、容器本体１０の口部１１の外径に応じて様々な値に設定できる。例えば、医薬品の多くがバラ包装される米国において一般的に最も使用されている錠剤容器の容器本体の口部の外径が３５ｍｍであることから、ハウジング２の外径は３５ｍｍとすることができる。これにより、既存する錠剤容器の容器本体の口部に対して中栓１を取り付けることができるので、既存の錠剤容器を有効活用できる。
【００２１】
側面部２１の上端部には、側面部２１の一部を切り欠くことで形成された複数（図示例では３つ）の切欠部２７が、周方向に沿って設けられている。なお、本実施形態では、複数（３つ）の切欠部２７は周方向に等間隔で設けられているが、後述する蓋部材４の第２の取出口４２がハウジング２の第１の取出口２３とは周方向に１８０度ずれた対角位置に正確に配置されるようにするために、ハウジング２に対して蓋部材４の取り付けられる向きが規制されるよう、複数（３つ）の切欠部２７が側面部２１の上端部に設けられていてもよい。また、側面部２１の上端部には、側面部２１よりも外径の大きいリング状のフランジ部２２が一体形成されている。このフランジ部２２の下面が容器本体１０の口部１１の上面と当接するようにして、ハウジング２が口部１１に取り付けられることで、口部１１は中栓１により閉塞されている。ハウジング２の底面部２０及び側面部２１は、口部１１よりも外径が小さく、口部１１内に位置している。フランジ部２２は、本実施形態では、口部１１の内周面と当接するアウターリング２８を外周面に備えた円筒状の外側側面部２６を介して側面部２１に連結されている。これにより、容器本体１０の口部１１を良好に密閉することができる。外側側面部２６の内周面には、詳細は後述するが、つまみ部材５が回転する回転方向に向かうに連れて周面から長く突き出る突部２９が複数連続して設けられることで凹凸面が形成されている。この複数の突部２９（凹凸面）は、つまみ部材５に形成された複数の突起５９とともに、つまみ部材５を一方向のみに回転させる逆転防止手段６を構成している。
【００２２】
底面部２０には、容器本体１０内の錠剤が通過可能な第１の取出口２３が形成されている。第１の取出口２３は、錠剤が１つ通過可能な外径（大きさ）に形成されていることが好ましく、容器本体１０に収容される錠剤の外径（大きさ）に合わせて適宜変更可能である。第１の取出口２３は、底面部２０の側面部２１近傍に形成されている。底面部２０は、第１の取出口２３に向けてハウジング２の内側（図示例では上方）に傾斜する傾斜面をなす略椀状に形成されており、詳細は後述するが、底面部２０の傾斜面を伝って錠剤が第１の取出口２３に向けて誘導されるようになっている。底面部２０には、底面部２０上に設けられるロータ３を直立姿勢に保持するための支持台２５が設けられている。支持台２５は、本実施形態では円環の一部が欠けた形状に形成されているが、ロータ３を直立姿勢に保持できればいかなる形状に形成されていてもよい。
【００２３】
ロータ３は、図８〜図１０に示すように、ハウジング２の側面部２１内に嵌まる外形を有しており、底面部２０上に載置されて側面部２１内で回転可能となっている。ロータ３は、その全体が例えばポリプロピレンや高密度ポリエチレンなどの硬質のプラスチック材料により形成されている。なお、ロータ３は、透明又は半透明であることが好ましい。
【００２４】
ロータ３は、略円板状の本体部３０を有している。本体部３０は、外周縁の一部が凹状に切り欠かれることで、例えば１錠の錠剤の通過が可能な大きさの凹溝３３を有している。本体部３０をハウジング２の底面部２０上に載置すると、底面部２０の第１取出口２３以外の領域は本体部３０により覆われるが、第１取出口２３は凹溝３３を介して露出する。ただし、ロータ３をハウジング２内で回転させることで、底面部２０の第１の取出口２３も本体部３０で塞ぐことができる。
【００２５】
本体部３０の凹溝３３の互いに対向する一対の側縁には、側壁部３７がそれぞれ立設されている。また、両側壁部３７の内側の端部同士は、端壁部３８により連結されており、凹溝３２上には、平面視コ字状の囲みが形成されている。この両側壁部３７及び端壁部３８は保持部３１を構成しており、ハウジング２の底面部２０の第１の取出口２３とロータ３の本体部３０の凹溝３２とが重なることで、第１の取出口２３及び凹溝３２を通過した容器本体１０内の錠剤は、この囲み（保持部３１）内で保持される。
【００２６】
本体部３０の中央位置には、保持部３１に一体形成された載置台３２が設けられている。載置台３２の上面に蓋部材４が載置される。載置台３２の上面には、後述するつまみ部材５の貫通孔５５と係脱可能な係合突起３４が設けられている。係合突起３４は、本実施形態では、六角形状の基部３５の上部に、基部３５よりも外形が大きい円錐台状の頭部３６を一体に設けた形状を有している。また、係合突起３４は、本実施形態では、係合突起３４を左右２つに分割した２つの半割体３４Ａで構成されている。なお、係合突起３４及び貫通孔５５の形状は、互いに係脱するのであれば、その形状は限定されない。
【００２７】
蓋部材４は、図１１〜図１３に示すように、ハウジング２のロータ３上に設けられる円板状のものであり、その外周面には、外周面から径方向外側に突き出る複数（図示例では３つ）の板状の爪部４０が設けられている。複数の爪部４０は周方向に沿って等間隔に配置されている。蓋部材４は、ハウジング２の側面部２１内に嵌まる大きさを有しており、各爪部４０を、側面部２１の上端部に形成された各切欠部２７に嵌め込むことで、蓋部材４はハウジング２に回転不能に取り付けられる。蓋部材４は、その全体が例えばポリプロピレンや高密度ポリエチレンなどのプラスチック材料により形成されている。なお、蓋部材４は、透明又は半透明であることが好ましい。
【００２８】
蓋部材４の中央位置には、ロータ３の係合突起３４を挿通可能な挿通孔４１が形成されている。また、蓋部材４の外周縁の近傍には、錠剤が通過可能な第２の取出口４２が形成されている。第２の取出口４２は、第１の取出口２３と同様に、錠剤が１つ通過可能な外径（大きさ）に形成されていることが好ましく、容器本体１０に収容される錠剤の外径（大きさ）に合わせて適宜変更可能である。第２の取出口４２は、第１の取出口２３とは異なる角度位置、つまりは、下方に位置する第１の取出口２３とは重ならず、周方向に所定の角度ずれた位置に配置されている。本実施形態では、第２の取出口４２は、第１の取出口２３とは周方向に１８０度ずれた対角位置に配置されている。
【００２９】
つまみ部材５は、図１４〜図１６に示すように、ハウジング２の外側側面部２６内に嵌まる外形を有しており、ハウジング２の蓋部材４上に載置されて、外側側面部２６内で回転可能となっている。つまみ部材５は、その全体が例えばポリプロピレンや高密度ポリエチレンなどのプラスチック材料により形成される。つまみ部材５は、全体として底の浅い皿状に形成されており、略円板状の底板部５０と、底板部５０を囲む周壁部５１と、底板部５０に径方向に延びるように設けられた取っ手部５２と、周壁部５１を囲む外側周壁部５３と、周壁部５１及び外側周壁部５３の上端部同士を連結するリング状の連結部５４とを備えている。
【００３０】
取っ手部５２は、底板部５０の表面から隆起しており、使用者が取っ手部５２をつかむことで、つまみ部材５を回転させやすくなっている。底板部５０の中央位置には、ロータ３の係合突起３２の基部３５の外形に対応した外形（本実施形態では六角形状）を有する貫通孔５５が形成されている。また、取っ手部５２の中央位置には、貫通孔５５と連通し、ロータ３の係合突起３２の頭部３６を収容可能な平面視円形状の凹み５６が形成されている。
【００３１】
ロータ３の係合突起３４の頭部３６を、蓋部材４の挿通孔４１を介してつまみ部材５の貫通孔５５を通過させて凹み５６内に収容するとともに、基部３５を貫通孔５５と係合させることで、ロータ３とつまみ部材５とが一体化する。よって、つまみ部材５とロータ３とが一体回転する。このとき、ロータ３の係合突起３４は、２つの半割体３４Ａ，３４Ｂで構成されているので、つまみ部材５の貫通孔５５への挿通時に、２つの半割体３４Ａ，３４Ｂを内側に弾性変形させることで、頭部３６の外形が一旦小さくなる結果、頭部３６が貫通孔５５を挿通可能となる。頭部３６が貫通孔５５を通過した後は、２つの半割体３４Ａが元の状態に復帰して、頭部３６の外形が貫通孔５５の外形よりも大きくなることで、頭部３６が貫通孔５５から抜け出ることが規制されている。
【００３２】
取っ手部５２の一方の端部は、幅が大きく形成されており、取っ手部５２のこの一方の端部には、錠剤が通過可能な第３の取出口５７が形成されている。第３の取出口５７は、第１及び第２の取出口２３，４２と同様に、錠剤が１つ通過可能な外径（大きさ）に形成されていることが好ましく、容器本体１０に収容される錠剤の外径（大きさ）に合わせて適宜変更可能である。第３の取出口５７は、つまみ部材５の回転により、下方に位置する蓋部材４の第２の取出口４２と重なり、これにより、ロータ３の保持部３２に保持された錠剤を外部に取り出し可能となる。
【００３３】
外側周壁部５３は、複数（図示例では８つ）の溝部５８が形成されることで、複数（図示例では８つ）の分割体５３Ａで構成されている。外側周壁部５３を構成する複数の分割体５３Ａのうち、所定の分割体５３Ａ（図示例では４つの分割体５３Ａ）の外周面には、つまみ部材５が回転する回転方向とは反対方向に向かうに連れて周面から長く突き出る突部５９が設けられている。この突部５９は、ハウジング２に形成された複数の突部２９とともに、つまみ部材５を一方向のみに回転させる逆転防止手段６を構成しており、つまみ部材５を逆転させた場合には、ハウジング２の突部２９の端面とつまみ部材５の突部５９の端面とが突き当たることで、つまみ部材５が逆転することが防止されている。
【００３４】
上記構成の中栓１において、ハウジング２のフランジ部２２の下面（口部１１の上面と接する側の面）には、公知の接着剤を用いて金属製リング７（図１７に示す）が貼り付けられている。金属製リング７は、中栓１を容器本体１０の口部１１に固定するためのものであり、金属製リング７のフランジ部２２と接着されていない側の面には、熱によって溶融する熱融着性樹脂からなる接着剤層（図示せず）が設けられている。金属製リング７を介して、ハウジング２のフランジ部２２を容器本体１０の口部１１の上面に載置し、例えば高周波誘導加熱を用いて金属製リング７を発熱させる。これにより、接着剤層が溶融し、金属製リング７と容器本体１０の口部１１とが接着剤層を介して接合される結果、ハウジング２（中栓１）が口部１１に固定される。金属製リング７の材質としては、特に限定されるものではないが、アルミニウムが最も好ましい。これは、この種の錠剤容器では、蓋（図示せず）にインダクションシールが一般的に設置されており、このインダクションシールは高周波誘導加熱を用いて容器本体１０の口部１１に貼り付けられるが、そのためのＦｏｉｌとしてアルミニウムが用いられている。よって、ハウジング２を容器本体１０の口部１１に高周波誘導加熱により取り付けるための金属製リング７も、インダクションシールのＦｏｉｌと同じアルミニウムが使用されることが、錠剤容器の製造上好ましいからである。
【００３５】
次に、上記構成の中栓１を備えた容器本体１０（錠剤容器１４）から錠剤を取り出す方法について説明する。まず、つまみ部材５を回転させることで、ロータ３の保持部３１を移動させ、ハウジング２の底面部２０の第１の取出口２３上に位置させる。この状態で、図１９（Ａ），（Ｂ）に示すように、容器本体１０を逆さにしたり下方に傾けたりすることで、容器本体１０内の錠剤を口部１１から第１の取出口２３を介して保持部３１内に保持させる。このとき、ハウジング２の底面部２０が第１の取出口２３に向けて傾斜する傾斜面となっていることで、錠剤は底面部２０を伝って第１の取出口２３に誘導される。
【００３６】
そして、つまみ部材５を回転させることで、図２０（Ａ），（Ｂ）に示すように、ロータ３の保持部３１を移動させ、蓋部材４の第２の取出口４２上に位置させる。これに伴い、つまみ部材５の第３の取出口５７も保持部３１とともに移動し、第２の取出口４２の下方に位置する。よって、保持部３１、第２の取出口４２及び第３の取出口５７が重なり、保持部３１に保持された錠剤が第２の取出口４２及び第３の取出口５７を通過して容器本体１０の外部に排出される。
【００３７】
上記構成の中栓１及び中栓１を備えた錠剤容器１４によると、容器本体１０から錠剤を例えば１錠ずつなど、所定数ずつ取り出すことができる。よって、必要な量を超えた余分な量の錠剤が容器本体１０から排出されることを防止できる。そのうえ、中栓１のつまみ部材５をわざわざ回転させて、保持部材３１の位置を第１の取出口２３の位置と一致させた後、第２の取出口４２の位置とも一致させないと、容器本体１０から錠剤を取り出すことができないので、錠剤を容器本体１０から取り出しにくくなっている。よって、服用者が、あえて過剰な量の錠剤を容器本体１０から取り出そうとしても、過剰な量の錠剤を取り出すためには手間がかかるため、服用者は錠剤を取り出すのをあきらめやすくなり、過剰な量の錠剤を取り出すことを防止する抑止力となる。
【００３８】
以上、本発明の一実施形態について説明したが、本発明はこの実施形態に限定されるものではなく、その趣旨を逸脱しない限りにおいて種々の変更が可能である。例えば、上記実施形態では、逆転防止手段６を構成する両突部２９，５９をハウジング２の外側側面部２６の内周面とつまみ部材５の外側周壁部５３の外周面とに設けているが、これに限られるものではなく、例えば、ハウジング２の側面部２１の内周面とロータ３の本体部３０の外周面とに設けるように構成してもよい。
【００３９】
また、つまみ部材５を１回転させることで、容器本体１０内の錠剤を１錠など所定数ずつ取り出すことができるように構成されているので、つまみ部材５の回転数を検出することで、服用者により容器本体１０からどれぐらいの頻度でどれぐらいの量の錠剤が取り出されているのかを把握することができる。つまみ部材５の回転数を検出するためには、例えばＩＣチップを内蔵した磁気、電波又は光学式の回転検出センサーをつまみ部材５に取り付け、磁気、電波又は光を発信する発信源をハウジング２に取り付ける。そして、つまみ部材５を回転させたときに、回転検出センサーが発信源からの磁気、電波又は光を受信する毎に１回転したとしてＩＣチップに記憶させることで、回転数を計数することができる。このとき、回転数を計数した際の時刻を回転数と併せてＩＣチップに記憶させることが好ましい。なお、ハウジング２に例えば凸部や凹部を設け、回転検出センサーにてつまみ部材５が１回転する度にこの凸部や凹部を検知することによっても、つまみ部材５の回転数を計数することができる。なお、ＩＣチップに代えて又は加えて、ＬＥＤなどからなる表示装置を設け、つまみ部材５が１回転する度に表示装置に回転数を表示させてもよい。これにより、服用者が回転数を視認することが可能となる。
【００４０】
このように、つまみ部材５の回転数を把握可能な構成とすることで、この錠剤容器を医療機関が回収して、ＩＣチップに記録された回転数や表示装置に表示された回転数を確認することで、医療機関は正確な投薬管理をすることができ、服用者の健康維持に有効となる。また、製薬会社がこの錠剤容器を回収すれば、医薬品の開発（臨床試験などで）に寄与できる。
【００４１】
また、図２１〜図２４に示すように、ハウジング２の側面部２１の外周面に、上下方向に延びる縦リブ８を周方向に間隔をあけて複数（１３本）設けるようにしてもよい。この縦リブ８は、ハウジング２を容器本体１０の口部１１に取り付けた際に、側面部２１の外周面と口部１１の内周面との間の空隙Ｓ（図１８に示す）に位置し、口部１１の内周面と若干の間隔をあけて対向するように、側面部２１の外周面から所定の長さ突き出ている。容器本体１０に収容される錠剤は、飲みやすさ（嚥下性）及びつかみやすさの観点から、そのサイズ（錠径や曲率半径、錠厚）が様々であり、飲みやすいサイズの小さいものから、つかみやすいサイズの大きいもの、さらには、飲みやすさ及びつかみやすさを両立させたサイズのもの（例えば、錠径：７ｍｍ、曲率半径：８．９ｍｍ、錠厚：４．５ｍｍ）も存在する。ここで、容器本体１０に収容される錠剤のサイズが小さい場合や、錠剤のサイズが小さくなくても容器本体１０内で錠剤が割れていたりすると、サイズの小さい錠剤や割れた錠剤が、側面部２１の外周面と口部１１の内周面との間の空隙Ｓ（図１８に示す）に入り込むおそれがある。これに対して、ハウジング２の側面部２１に複数の縦リブ８を設けると、複数の縦リブ８により上記空隙Ｓ（図１８に示す）が塞がれるので、サイズの小さい錠剤や割れた錠剤が上記空隙Ｓ（図１８に示す）に入り込むことを防止できる。また、複数の縦リブ８を設けることで、同時に、ハウジング２（中栓１）を容器本体１０の口部１１に取り付ける際に、ハウジング２（中栓１）を容器本体１０の口部１１に対して適正位置に位置決めできるので、ぐらつくことなく安定した状態で容器本体１０の口部１１に取り付けることができる。
【００４２】
なお、縦リブ８の数や形状は、この実施形態のものに限られるものではなく、種々の設計変更が可能である。また、この実施形態では、ハウジング２の側面部２１の切欠部２７が存在する位置には縦リブ８が設けられていないが、切欠部２７を避けるようにして縦リブ８を設けるようにしてもよい。
【符号の説明】
【００４３】
１    中栓
２    ハウジング
３    ロータ
４    蓋部材
５    つまみ部材
６    逆転防止手段
７    金属製リング
１０  容器本体
１１  口部
２０  底面部
２２  フランジ部
２３  第１の取出口
４２  第２の取出口
５７  第３の取出口
【図１】
2015083487.tif 000003
【図２】
2015083487.tif 000004
【図３】
2015083487.tif 000005
【図４】
2015083487.tif 000006
【図５】
2015083487.tif 000007
【図６】
2015083487.tif 000008
【図７】
2015083487.tif 000009
【図８】
2015083487.tif 000010
【図９】
2015083487.tif 000011
【図１０】
2015083487.tif 000012
【図１１】
2015083487.tif 000013
【図１２】
2015083487.tif 000014
【図１３】
2015083487.tif 000015
【図１４】
2015083487.tif 000016
【図１５】
2015083487.tif 000017
【図１６】
2015083487.tif 000018
【図１７】
2015083487.tif 000019
【図１８】
2015083487.tif 000020
【図１９】
2015083487.tif 000021
【図２０】
2015083487.tif 000022
【図２１】
2015083487.tif 000023
【図２２】
2015083487.tif 000024
【図２３】
2015083487.tif 000025
【図２４】
2015083487.tif 000026